(57)【要約】  【課題】例えば建築物の壁面などを装飾するモザイクを分割して制作する場合に、例えば正方形の枠を用いてモザイクを構成する部分モザイクを制作すると、それらの部分モザイクを集合させて実物のモザイクにした際に、部分モザイク間の目地が目立ち、その絵画的な価値を低下させた。  【解決手段】少なくともその一方の面に色彩を施されてなる複数の建築部材を、原画を分割して得られる複数の区画のそれぞれに応じた配置図に基づいて配置する際に使用する配置作業用器具１であって、配置図に対応する配置領域３ａを規定する内側輪郭３ｂを有する枠体３からなり、枠体３が、内側輪郭３ｂの少なくとも一部に沿って、配置領域３ａに配置される建築部材と内側輪郭３ｂとの線接触を阻止する離間手段を備える。【選択図】図１
2005144820.tif 000002
【特許請求の範囲】
【請求項１】
少なくともその一方の面に色彩を施されてなる複数の建築部材を、原画を分割して得られる複数の区画のそれぞれに応じた配置図に基づいて配置する際に使用する配置作業用器具であって、
配置図に対応する配置領域を規定する内側輪郭を有する枠体からなり、枠体が、内側輪郭の少なくとも一部に沿って、配置領域に配置される建築部材と内側輪郭との線接触を阻止する離間手段を備える配置作業用器具。
【請求項２】
離間手段が、内側輪郭から配置領域の内側に向いて突出する複数の凸部を備え、凸部の頂点間距離を建築部材の一辺の長さ寸法より短くしてなる請求項１記載の配置作業用器具。
【請求項３】
内側輪郭は、その一部が少なくとも自由曲線を基礎にして形成される請求項１又は２記載の配置作業用器具。
【請求項４】
枠体を移動不能に載せるとともに配置領域の底面を形成する枠支持体をさらに備えてなる請求項記載１、２又は３の配置作業用器具。
【請求項５】
建築部材が、板状のものであり、その形状が不定形である請求項１、２、３又は４記載の配置作業用器具。
【発明の詳細な説明】
【技術分野】
【０００１】
本発明は、建築物の内外壁や床面などを装飾する、例えばタイルのような着色された建築部材を、所定の図柄になるように配置する際に使用する配置作業用器具に関するものである。
【背景技術】
【０００２】
従来、色彩や模様などが異なる多数のガラス、石、タイルなどの全体に比較して小さい部材を任意に組み合わせて配列し、全体として所望の絵柄あるいは模様を表現するモザイクがある。特にタイルを用いて制作するモザイクとして、モザイクタイルアートなるものが近年普及してきている。このモザイクタイルアートを制作するに際して、熟練を要することなく、また制作途中でもその続きを容易におこなうことができるように、モザイクタイルを所定位置に配置し得るようにする器具が考え出されている（例えば特許文献１）。
この特許文献１に記載されているモザイクタイルアート用配列具では、配置したモザイクタイルが脱落しないように、モザイクタイルを配置し得る凹部や貫通穴からなるタイル配置部を備える構成である。このような上記配列具を使用することにより、１つのモザイクタイルアートを完成させることができる。
【特許文献１】特開２００２−４６３９５
【発明の開示】
【発明が解決しようとする課題】
【０００３】
上述のモザイクタイルアートに対して、例えばビルの壁面や玄関部分の床面に巨大なモザイクを制作することがある。このようなモザイクは、実物大の原画を複数の区画に分割し、それぞれの区画に対応して配置図を作成し、それぞれの配置図毎にモザイクの部分をなすモザイクを制作し、現場にてそれらの部分モザイクをつなぎ合わせて最終的なモザイクを制作するものである。
【０００４】
このような巨大なモザイクの制作において、配置図に対応して特許文献１に記載のモザイクタイルアート用配列具を使用することが考えられる。一方、このようなモザイクでは、いわゆるクラッシュタイルと呼ばれる平面形状が不定形のタイルが用いられるのが通例である。これは、タイル製造工場などで割れたタイルをクラッシュタイルとして利用できるとともに、モザイクが巨大なために不定形のタイルでも十分に絵を表現できるためである。
【０００５】
しかしながら、このようにタイルが不定形であると、上記モザイクタイルアート用配列具ではタイルを配置することが不可能になる。つまり、モザイクタイルアート用配列具は、定形のタイルを保持し得るように形成してあるため、任意な形状のタイルを配置できるものではない。
【０００６】
このような配列具に鑑みて、タイルの保持部を備えずに不定形のタイルを任意の場所に配置できるようにした例えば正方形の枠を使用することが考えられる。ところが、単なる正方形の枠の場合、その枠の正方形の内側輪郭にタイルを接触させたり沿わせたりして配置した配置図に対応する部分モザイクのそれぞれを原図に基づいてつなぎ合わせると、枠で制作された各別の部分モザイク間に形成される目地が直線となり、目地が目立ったり、あるいは隣り合うタイルが接触して目地のない不自然なタイルの配置となった。このため、完成したモザイクが、不自然な目地により分割されたような見栄えになり、原画の意匠を再現することが困難になることがあった。
【０００７】
そこで本発明は、以上のような問題に鑑みて、不定形のタイルを使用して、個別に制作した部分モザイクを集合して所望のモザイクを制作する場合に、部分モザイク間の目地を目立たなくし得るようにして建築部材を配置し得るようにする配置作業用器具を提供するものである。
【課題を解決するための手段】
【０００８】
すなわち、本発明の配置作業用器具は、少なくともその一方の面に色彩を施されてなる複数の建築部材を、原画を分割して得られる複数の区画のそれぞれに応じた配置図に基づいて配置する際に使用する配置作業用器具であって、配置図に対応する配置領域を規定する内側輪郭を有する枠体からなり、枠体が、内側輪郭の少なくとも一部に沿って、配置領域に配置される建築部材と内側輪郭との線接触を阻止する離間手段を備える構成である。
【０００９】
このような構成によれば、複数の建築部材は、配置領域に配置された際に、離間手段により枠体の内側輪郭に線接触することがない。この結果、建築部材と内側輪郭との間には、離間手段により規定される空間が生ずる。このようにして配置領域への建築部材の配置が完了し、その配置された建築部材の集合を原画にあわせてさらに配置すると、各建築部材の間には、前記空間により目地が形成される。それゆえ、配置領域に配置した複数の建築部材の集合を、原画にあわせて配置しても、隣接する集合にある建築部材が線接触しないので、上述の目地部分における建築部材の配置を、他とほぼ同様になすことが可能になる。
【００１０】
離間手段としては、内側輪郭から配置領域の内側に向いて突出する複数の凸部を備え、凸部の頂点間距離を建築部材の一辺の長さ寸法より短くしてなるものが挙げられる。凸部は、内側輪郭から配置領域の内側に向いて突出するものであれば、その形状は限定されない。具体的には、凸部は、内側輪郭を基部として突出する板状のものからなり、その平面形状を、放物線形状、双曲線形状、三角形状、矩形、鋸歯形状などとするものであってよい。あるいは、凸部は、内側輪郭を形成する面から突出する、針あるいは棒状のものであってもよい。このような構成であれば、凸部の頂点間距離が建築部材の一辺の長さ寸法より短いので、建築部材が凸部間に入り込むことがない。したがって、建築部材が凸部に接触することにより、建築部材と内側輪郭との線接触を阻止することができる。
【００１１】
上述のような凸部が形成される内側輪郭は、その一部が少なくとも自由曲線を基礎にして形成されるものが好ましい。この発明にあって、自由曲線とは、フリーハンドで描かれた曲線以外に、円弧、楕円弧、双曲線、あるいはそれらを単独で又は組み合わせて連続させたもの、さらには三角関数による曲線を含むものである。内側輪郭は、原画を複数の区画に分割する際の分割線に対応するものである。そして、この内側輪郭を、自由曲線を基礎とすることにより、原画に対応させて建築部材を配設した際に、隣接する区画間に不自然なあるいは不連続な目地が生じないようにすることができる。
【００１２】
配置領域の配置した複数の建築部材を移動し易くするためには、枠体を移動不能に載せるとともに配置領域の底面を形成する枠支持体をさらに備えてなるものが好ましい。このように、枠支持体により配置領域の底面が形成されることにより、配置領域に配置された建築部材を施工現場まで容易に運搬することができる。
【００１３】
建築部材としては、板状のものであり、その形状が不定形であるものが好ましい。具体的には、タイル、その平面形状が任意あるいは不定形のクラッシュタイル、板ガラス片特には面取り加工された板ガラス片や、アクリル板、塩化ビニル板、ポリプロピレン板、ポリカーボネート板などの合成樹脂板片、ファインセラミック、スラグなどが好適である。
【発明の効果】
【００１４】
本発明は、以上説明したように、配置領域に配置された建築部材が内側輪郭に線接触しないので、配置領域に配置された建築部材の集合同士を隣接させて連続させる場合に、それぞれの集合間に不連続な目地が形成されることを防止することができる。
【発明を実施するための最良の形態】
【００１５】
以下、本発明の一実施形態を、図１〜６を参照して説明する。
【００１６】
この実施形態の配置作業用器具１は、例えば建築物の壁面に設置されるモザイクを、建築部材である一方の面に色彩を施されてなるタイル２、特には平面形状が正方形、長方形あるいは三角形などのような一定の形状のものでない不定形のタイル２を多数用いて制作する際に使用されるものである。モザイクを制作するに際して、モザイクの絵柄あるいは模様を示した完成時の実物大の原画（絵画、写真、イラストレーションなど）ＯＰを分割線ＬＤにより分割して得られる複数の区画ＯＰ１，ＯＰ２，ＯＰ３，ＯＰｎのそれぞれに応じた配置図を準備するものである。分割線ＬＤは、後述する内側輪郭３ｂに対応する形状である。そして、モザイクは、配置図とこの配置作業用器具１を使用して各区画に対応してモザイクの一部分となる部分モザイクを制作し、区画ＯＰ１，ＯＰ２，ＯＰ３，ＯＰｎ毎に制作し、後述する紙で仮固定した部分モザイクを施工現場に運んで、それぞれの部分モザイクを所定の位置に配置することにより制作するものである。
【００１７】
配置作業用器具１は、図１及び図３に示すように、配置図に対応する配置領域３ａを規定する内側輪郭３ｂを有する枠体３と、その枠体３を移動不能に載せるとともに配置領域３ａの底面を形成する枠支持体４とからなる。なお、この実施形態における枠体３は、正方形あるいは長方形のモザイクに対して使用することを前提にしており、図５に示すように、内側輪郭３ｂの形状の異なる９種類がある。すなわち、枠体３は、その内側輪郭３ｂの異なりにより、四隅用枠体３Ａ，３Ｂ，３Ｃ，３Ｄ、上下辺用枠体３Ｅ，３Ｆ、左右辺用枠体３Ｇ，３Ｈ及び四辺に接触しない中間用枠体３Ｋに種別される。以下の説明においては代表して、中間用枠体３Ｋを枠体３として説明する。なお、モザイクの全体形状によっては、枠体３の外形を正方形以外の形状、例えば円形、楕円形、三角形、平行四辺形、台形、五角形や六角形などの多角形などであってもよく、これら形状の異なるものを適宜に組み合わせて用いるものであってよい。
【００１８】
枠体３は、平面視ほぼ正方形状の外側輪郭３ｃを有し、かつ外側輪郭３ｃを構成する四辺に沿うようにして形成された内側輪郭３ｂと内側輪郭３ｂに沿って形成される離間手段である複数の凸部３ｄとを有している。この枠体３は、タイル２の厚みより薄い平板部３ｅと、その平板部３ｅの周囲に設けられる周囲枠部３ｆとからなる。平板部３ｅは、その内側部分に内側輪郭３ｂで規定される配置領域３ｂを有するものとなる。一方、周囲枠部３ｆは、その下面を平板部３ｅとほぼ面一にしてある。このような構成の枠体３は、平板部３ｅと周囲枠部３ｆとを別々に製造する木製や、その両者を一体に成形する合成樹脂製などである。平板部３ｅにおける内側輪郭３ｂは、原画ＯＰから区画を分割する際の分割線に対応するもので、分割線が絵柄あるいは模様に対して目立たないようにするため、少なくともその一部が自由曲線により形成してある。また、枠体３には、方向を認識するための位置マーク３ｇが、平板部３ｅにおける内側輪郭３ｂより外側で対角線上に設けてある。つまり、この位置マーク３ｇは、配置作業用器具１を使用する場合に、一方が左上に位置し、他方が右下に位置するようにして利用することにより、配置したタイル２による部分モザイクの全体のモザイクに対する向きを容易に特定し得るものとなる。
【００１９】
内側輪郭３ｂは、中間用枠体３Ｋ以外では、直線と平面視波状の自由曲線との組み合わせにより形成されており、外側輪郭３ｃ各辺に対応する少なくともその一辺部が自由曲線にしてある。これに対して、中間用枠体３Ｇの内側輪郭３ｂは、自由曲線のみで構成され、正方形の四辺のそれぞれを波状にして角部分において連結したような形状に形成してある。
【００２０】
複数の凸部３ｄそれぞれは、内側輪郭３ｂを基線として、内側輪郭３ｂで規定される配置領域３ａの内側に向いて突出する構造である。すなわち凸部３ｄは、平面視自由曲線により形成されるもので、その頂点３ｄａ間の距離は最も小さいタイル２の最短の一辺の長さより短く設定してある。言い換えれば、凸部３ｄと凸部３ｄとの間には、タイル２の一辺の全てが入り込まないように設定するものである。なお、それぞれの凸部３ｄの高さ、すなわち内側輪郭３ｂからその頂点３ｄａまでの距離は、部分モザイク間の目地となるので、配置領域３ａ内に配置されるつまり部分モザイクを形成しているタイル２間の目地にほぼ等しくなるような寸法に設定する。
【００２１】
枠支持体４は、平面視ほぼ正方形状の中央部分がその周囲より低くなって凹部４ａが形成された形状をしている。凹部４ａの形状は、平面視正方形で、枠体３の外側輪郭３ｃに対応している。つまり、この凹部４ａは、枠体３を移動不能な状態に嵌め込むことが可能、言い換えれば枠体３が嵌め込まれた状態で左右前後のいずれの方向にも枠体３を移動不能な状態にする大きさをしており、枠体３の周囲枠部３ｆの厚みとほぼ等しい深さをしている。また、凹部４ａの底面４ａａには、配置領域３をほぼ四等分する基準線４ｂが引いてある。一方、この凹部４ａの周囲に存在する額縁部４ｃには、持ち運びを容易にするための把手４ｄが対向する２辺に取り付けられているとともに、凹部４ａに嵌め込まれた枠体３に容易に指がかけられるようにえぐられた、平面視ほぼ半円形状の指掛け部４ｅが設けられている。なお、枠支持体４は、九種類ある枠体３に対して、共通に使用することができる。
【００２２】
以上の構成において、モザイクを制作する作業において、配置図毎に配置作業用器具１を用いて部分モザイクを制作し、できあがった部分モザイクを施工現場において原画ＯＰに対応させて配置してモザイクを制作するものである。部分モザイクを制作することは、複数の作業者によりモザイクを分割して制作作業を進めることになるため、モザイク制作の期間を短縮することができる。
【００２３】
部分モザイクは、配置図に基づいて不定形のタイル２を配置作業用器具１の配置領域３ａ内に配置することにより制作する。制作に先立って、まず、配置図に表されている色彩に対応する色彩を施されたタイル２を準備するとともに、配置図に対応する内側輪郭３ｂを有する枠体３を枠支持体４の凹部４ａに嵌め込んで、配置作業用器具１を準備する。配置作業用器具１は、位置マーク３ｇにより、枠体３と配置図との対応関係つまり枠体３の上下左右と配置図の上下左右とを対応付けるものである。この後、配置図の色彩に対応する色彩のタイル２を、その色彩が施された表面を上側つまり目視できる状態で配置領域３ａ内の対応位置に配置する。タイル２は、図６に示すように、隣接するタイル２に接触しないように、目地をあけて配置していく。配置図において、色彩の境界部分では、その境界線に沿って、一方の色彩の領域から他方の色彩の領域に、また他方の色彩の領域から一方の色彩の領域にそれぞれ、タイル２の一部がはみ出すものであってよい。この場合に、はみ出しているタイル２の面積がほぼ同程度であれば、そのような色彩の境界部分における原画ＯＰと部分モザイクとの色彩の差違を最小限に抑制することが可能になる。
【００２４】
このようにして、配置図を参照しながら、配置図の色彩に対応するタイル２を対応する位置に配置していく。配置されるタイル２のうち、配置領域３ａの周辺部分に配置されるものは、凸部３ｄに接触するものであってよい。あるいは、タイル２の一つの角が、凸部３ｄと凸部３ｄとの間に入り込むものであってもよい。しかしながら、上述したように、凸部３ｄの頂点３ｄａ間距離は最も小さいタイル２の一辺の長さより短いので、タイル２が凸部３ｄと凸部３ｄとの間に入り込むことはない。
【００２５】
そして、配置領域３ａに配置図に対応して全てのタイル２を配置し終えたなら、紙特には和紙の一方の表面のほぼ全面に糊を塗り、糊を塗布した和紙を配置領域３ａに配置したタイル２に覆い被せて貼り付け、貼り付けた和紙により配置したタイル２を仮固定する。この和紙は、搬送中にタイルが移動することを防止するもので、タイル２を施工現場においてモルタルコンクリートなどで固定した後にタイル２から剥がされる。枠体３における配置領域３ａを形成する平板部３ｅがタイル２の厚みより薄いため、配置領域３ａに配置されたタイル２の表面が平板部３ｅより高くなり、和紙をタイル２に容易に貼り付けることができる。また、和紙は糊を使用してタイル２に貼り付けているので、糊が乾燥することにより容易にタイル２を固定することができ、しかも和紙をタイル２から剥がす場合は和紙を水で濡らすだけで容易にタイル２から剥がすことができる。このように和紙を用いてタイル２を仮固定することにより、施工現場が曲面であっても、部分モザイクを容易に配置することができる。
【００２６】
現場において、それぞれの部分モザイクは、原画ＯＰを分割したぞれぞれの区画に対応しているので、対応するそれぞれの区画に配設する。この場合に、それぞれの区画の輪郭すなわち分割線ＬＤは、それぞれの部分モザイクを制作した配置作業用器具１の枠体３の内側輪郭３ａに一致するので、分割線ＬＤに内側輪郭３ａを重ね合わせるようにして部分モザイクを配置していくことにより、施工現場において隣接する部分モザイク間には、枠体３の凸部３ｄの高さにほぼ相当する幅の目地が形成される。又、形成される目地は、この実施形態にあっては、内側輪郭３ｂが自由曲線であるので、完成したモザイクにおいて部分モザイク内の目地と区別がつきにくく、部分モザイク同士を円滑に一体化させることができる。つまり、モザイクは部分モザイクを集合して制作するものであるが、部分モザイク同士は自由曲線をなぞった目地を介して結合されるので、目地を意識することなく部分モザイク同士を自然に連続させることができる。
【００２７】
なお、上記実施形態では、枠体３の基本的な形状を正方形としたが、正三角形、長方形、正五角形、正六角形などであってもよい。同様に、内側輪郭３ｂにあっても、正方形、正三角形、長方形、正五角形などであってもよい。
【００２８】
加えて、上記実施形態においては、内側輪郭３ｂを基準線として凸部３ｄを形成するものを説明したが、離間手段としては、内側輪郭３ｂを中心にして凹部と凸部とを交互に配置するものであってもよい。この場合、内側輪郭３ｂから凸部の頂点までの距離（寸法）と、凹部の底までの距離（寸法）とをほぼ等しくするものである。
【００２９】
さらに、タイル２を配置するのみであるなら、作業台の上に枠体３を載置して作業を行えるものである。つまり、枠支持体４は、枠体３を移動不能にするとともに、和紙を貼り付けて仮固定されたタイル２の運搬を容易にするものであるが、枠支持体４に代えて和紙により仮固定されたタイル２の運搬時にトレイあるいは運搬のための容器を使用するものであるのなら、枠支持体４は省略することが可能である。
【００３０】
以上に説明したタイル２の配置作業にあっては、配置図における色彩とその位置に対して、正しくタイル２を配置したか否かを作業者が確認したが、画像認識可能な装置を使用してこの確認作業を行うものであってよい。以下にそのような装置を使用した部分モザイクのためのタイル２の配置作業について説明する。
【００３１】
建築部材であるタイル２の配置作業用装置１０は、図７及び図８に示すように、基本的には、上述の配置作業用器具１と、外光をほぼ遮断するフード部１１と、そのフード部１１を支持する支持台部１２と、画像処理のためのコンピュータシステム１３とを備えている。この実施形態では、フード部１１と支持台部１２とは、例えばＦＲＰ（繊維強化プラスチック）などにより一体に形成してある。
【００３２】
具体的には、フード部１１は、正面に開口１１ａを備え、その底面部分に配置作業用器具１が載置される作業面１１ｂを備え、開口１１ａを介して高さ調整可能な椅子に着座した作業者が、作業面１１ｂに載置された配置作業用器具１に向き合えるようになっている。作業面１１ｂは、その中央部分に配置作業用器具１を載置した際に、配置作業用器具１の左右に手を置く程度の余地を有している。また、遮光性を良好にするために、開口１１ａは、作業者が作業をする場合に、開口１１ａを介してわずかに外光が入り込む程度の大きさに設定してある。このため、開口１１ａの両側には正面壁面１１ｃが形成してあり、その部分に後述する判定手段を構成する押しボタンスイッチ１１ｄが取り付けてある。
【００３３】
フード部１１の内部の正面奥には、コンピュータシステム１３の一部をなす表示装置である例えば液晶表示装置１４が、その表示表面を透明合成樹脂板（例えばポリカーボネート板、アクリル板など）あるいは強化ガラス板などに保護された状態で設置してある。これは、作業中にタイル２が液晶表示装置１４に衝突して表示画面が損傷するような不具合を防ぐためである。又、フード部１１の内部の配置作業用器具１真上の天井部分には、コンピュータシステム１３の一部をなす撮影手段を構成するカメラ例えばＣＣＤカメラ１５が設置してあり、同じく内部の左右側方空間には、少なくとも作業面１１ｂに載置された配置作業用器具１の配置領域３ａに対して集中的に光を照射し得るように光源１６が設置してある。光源１６は、配置領域３ａに対して約４５度の角度の上方から光を照射するもので、光源１６の近傍には作業者側、液晶表示装置１４側及びＣＣＤカメラ１５側に光が拡散しないように遮光板１１ｅが取り付けてある。
【００３４】
このような構成にすることにより、外光をほぼ遮断した状態でタイル２の配置作業が行えるので、作業者がタイル２の配置作業をする際のタイル２の色彩の認識性を向上させることができる。又、光源１６を遮光板１１ｅにより遮光していることにより、配置領域３ａにおけるタイル２の配置状態を撮影するのに十分な光量を確保することができるとともに、作業中に光源１６からの直接光が作業者の目に入ってタイル２の識別をしにくくさせるとか疲れさせると言った不具合を防ぐことができる。加えて、光源１６を配置領域３ａの側方の上方に配置し、タイル２で反射した光がＣＣＤカメラ１５に直接に光が入射しないように構成しているので、タイル２の色彩、形状などを精度よく撮影することができる。
【００３５】
このようなフード部１１に対して、支持台部１２は、作業面１１ｂの下側にコンピュータシステム１３を構成するキーボード１７ａやマウス１７ｂなどの入力装置１７を収めることができる引き出し１２ａと、正面壁面１１ｃの下方に設けられてタイル２などを入れた容器などを収めることができる前収納部分１２ｂと、引き出し１２ａの下側に形成される下肢空間１２ｃの後側にコンピュータシステム１３のコンピュータ本体１８を収めることができ、後側に扉の設けられた後収納部分１２ｄと、移動用のキャスタ１２ｅを有している。引き出し１２ａは、部分モザイクの制作作業の際には引き出す必要はなく、例えばコンピュータシステム１３の保守、点検や調整を実施する際に引き出してキーボード１７ａやマウス１７ｂを操作し得るようにするものである。前収納部分１２ｂは、例えば６つの収納空間を備えるもので、一つの部分モザイクを制作する際に使用するタイル２の全てを収納できることが望ましい。これに対して、後収納部分１２ｄは、前収納部分１２ｂに対して大容量に設定できるので、例えば２つに分割し、一方にコンピュータ本体１８を収納するとともに、他方に例えば部分モザイクを制作するのに関連する物品、例えば糊や紙などを収納し得るように構成するものである。
【００３６】
コンピュータシステム１３は、入力装置１７としてのキーボード１７ａ及びマウス１７ｂ、コンピュータ本体１８、液晶表示装置１４、ＣＣＤカメラ１５を備えている。コンピュータ本体１８は、ＣＰＵ１８ａ、内部メモリ１８ｂ、ハードディスク１８ｃ、入出力インターフェース１８ｄ、通信インターフェース１８ｅ、報知手段を構成する音声合成回路１８ｆ、ブザー１８ｇ及びスピーカ１８ｈを備えている。このコンピュータ本体１８のハードディスク１８ｃ内には、配置領域３ａの配置されたタイル２の色彩と位置とを少なくとも認識して、配置図に対応してタイル２が配置されたか否かを判定する画像認識プログラムが格納されている。すなわち、コンピュータシステム１３は、配置領域３ａに配置されたタイル２の色彩データ及び位置データと表示手段である液晶表示装置１４に表示される配置図における色彩データ及び位置データとを比較してタイル２が所定の位置に配置されたか否かを判定する判定手段と、判定手段が出力する判定結果に基づいて判定結果を報知する報知手段とを備えるものである。このような構成に対応して、配置図の画像データが、例えば通信インターフェース１８ｅを介してハードディスク１８ｃ内あるいは内部メモリ１８ｂに記憶される。
【００３７】
画像認識プログラムは、配置図に応じた画像データの記憶手段であるハードディスク１８ｃあるいは内部メモリ１８ｂから画像データを読み出し、液晶表示装置１４に読み出した画像データに対応する配置図を表示し、ＣＣＤカメラ１５により撮影された配置領域３ａ内のタイル２の色彩と位置とを検出し、所定のタイミングすなわち作業者が押しボタンスイッチ１１ｄを操作した際に検出したタイル２の色彩及び位置を画像データに基づく判定用画像データＤ１における色彩及び位置と比較し、比較の結果検出したタイル２の色彩及び位置と判定用画像データＤ１における色彩及び位置とが一致した際に音声及び表示によりタイル２の配置が正しいことを作業者に報知するとともに、不一致の場合には音声及び表示によりタイル２の配置が誤っていることを報知するように構成してある。そして、画像認識プログラムは、ＣＰＵ１８ａにより実行されることにより、表示手段、撮影手段、判定手段及び報知手段として機能するものである。
【００３８】
このような構成において、部分モザイクを制作するに当たって、まず制作予定の部分モザイクに対応する配置図の基本画像データをハードディスク１８ｃあるいは内部メモリ１８ｂに記憶する。この基本画像データは、原画ＯＰから配置図を区画して分離した後、例えばスキャナにより電子データに変換して得るものである。タイル２の配置判定に使用する判定用画像データＤ１は、基本画像データを加工して、タイル配置の判定精度が高くなるようにしてある。具体的には、図９に模式的に示すように、基本画像データにおける異なる色彩が接する境界部分において、所定幅を有して色彩の別を問わない緩衝ゾーンＤｚを設定することにより判定用画像データＤ１を形成している。この緩衝ゾーンＤｚは、配置されたタイルがこの緩衝ゾーンＤｚに対応する位置にあることを検出した際に、配置されたタイルの色彩が隣接する色別エリアＤｃ１，Ｄｃ２のいずれの色であっても判定結果としては正常を報知するようにするためのものである。
【００３９】
次に、作業者あるいは部分モザイクの制作管理者が作業開始の指令をコンピュータシステム１３に入力すると、基本画像データを液晶表示装置１４に表示する。これにより、作業者はタイル２をどのように配置すればよいのか、把握することができる。そして、配置作業用器具１を作業面１１ｂに載置し、タイル２の配置を開始する。ここで、コンピュータシステム１３は、作業面１１ｂに載置された配置作業用器具１の位置マーク３ｇを読み取って、その位置マーク３ｇを結んだ線分を対角線とする正方形で規定される領域を、タイル配置の判定のための画像読み取り領域として設定する。
【００４０】
この後、作業者が液晶表示装置１４を確認して、タイル２を例えば配置領域３ａの左下隅から配置していく。タイル２の配置方法自体は、上述の実施形態におけるものと同じである。一個のタイル２の配置を終了した後、作業者は左右に取り付けられた押しボタンスイッチ１１ｄを両手でほぼ同時に操作して、配置したタイル２が正しいか否かの判定を行う。判定に先立って、押しボタンスイッチ１１ｄが操作されると、ＣＣＤカメラ１５が撮影している配置領域３ａ内の画像を取り込んで配置タイル画像データを作成し、内部メモリ１８ｂあるいはハードディスク１８ｃに一時的に保存する。この時、作業者が両手で押しボタンスイッチ１１ｄを操作するので、ＣＣＤカメラ１５が配置領域３ａを撮影する際に作業者の手や頭などを撮影することがない。したがって、タイル２の配置のみの鮮明な画像の配置タイル画像データを作成することができる。
【００４１】
タイルの判定は、上述のようにして作成した配置タイル画像データを利用して、配置されたタイル２の色彩が、配置図に示された色彩の位置に対応しているか否かにより行われる。すなわち、今回得られた配置タイル画像データから、タイル２が配置されている部分の位置データと色彩データとを抽出し、抽出した位置データに対応する判定用画像データＤ１における位置の色彩データと抽出した色彩データとを比較する。色彩データは、配置図に示された色彩に対応する色彩データに対して設定される所定の許容範囲に含まれる場合に一致と判定する。比較の結果、位置データと色彩データとが一致した場合、つまり、配置タイル画像と配置図とを重ね合わせ、重なり合った位置において同じ色彩であれば一致と判定するものであり、今回配置されたタイル２が正しいものであると判定する。この場合、位置データは、例えば位置マーク３ｇを基準点として配置タイル画像データ全てを対象にして抽出を行い、判定用画像データＤ１における全ての位置データと対照される。
【００４２】
そして、判定の結果、正しい場合は、液晶表示装置１４に正しいことを示す記号、色あるいは文字を表示するとともに、音声合成回路１８ｆを駆動してスピーカ１８ｈを介して音声により正しいことを作業者に報知する。正しいことを示す表示としては、例えば記号の「○」を表示し、さらにタイル２を連想させる図形を例えば白色に塗り潰して点滅させて表示する、などである。一方、正しいことを報知する音声としては、例えば「正しいです。」あるいは「ＯＫです。」などである。逆に、間違ったタイル２を配置した場合には、記号の「×」を表示し、さらにタイル２を連想させる図形を例えば赤色に塗り潰して点滅させて表示し、報知する音声として、例えば「間違いです。」あるいは「やり直してください。」などとするものである。これに加えて、ブザー１８ｇを鳴らしてもよい。
【００４３】
このようにして、タイル２を配置する毎にそのタイル２の色彩及び位置を検査しながら、配置領域３ａのほぼ全面にタイル２を配置する。そして、タイル２を全て配置領域３ａに配置した後、作業面１１ｂから配置作業用器具１を運び出し、糊を塗布した和紙を配置領域３ａに配置したタイル２に貼り付け、和紙によりタイル２を仮固定する。なお、和紙の貼り付けは、作業面１１ｂに配置作業用器具１をおいた状態で行ってもよい。
【００４４】
このように、配置作業用装置１０を使用して部分モザイクを制作すると、配置したタイル２が配置図に指示された通りになっているか否かを、タイル２を配置した毎に作業者が判定することなく判定されるので、作業の誤りを正確に、かつ迅速に訂正することができる。また、作業者自身が配置したタイル２の良否を判定することがないので、ほぼ完全に配置図通りにタイル２を配置することができる。加えて、ＣＣＤカメラ１５が配置作業用器具１のほぼ真上に設置されるので、装置の構造を簡略化することができる。
【００４５】
なお、このような配置作業用装置１０にあっては、コンピュータシステム１３が通信インターフェース１８ｅを備えていることにより、例えば配置図を保存しているホストコンピュータに専用回線あるいはインターネットを介する双方向通信を利用して、分散した作業場における制作作業を可能にする。すなわち、各作業場に配置作業用装置１０を設置し、それらの配置作業用装置１０を双方向通信可能にホストコンピュータに接続してネットワークシステムの中に組み込む。そして、ホストコンピュータにおいて配置図、発注先、納期などのデータを記憶して、作業の発注、進捗状況の把握、施工現場への納品などを集中管理するものである。
【００４６】
このようなネットワークシステムを構築することにより、作業場が分散していても作業基準を統一することができ、制作された部分モザイクの完成度を一定し維持することができる。つまり、部分モザイクを制作するにあたって、配置したタイルが配置図に対応しているか否かは、コンピュータシステムにより判定されるので、作業者の主観が判定に入り込まない。このため、部分モザイクの制作作業場所が何処であろうと、また作業者が誰であろうと、常にほぼ一定の精度で部分モザイクが制作されるものとなる。この結果、完成したそれぞれの部分モザイクを、完成度の高いものに維持することができる。
【００４７】
その他、各部の具体的構成についても上記実施形態に限られるものではなく、本発明の趣旨を逸脱しない範囲で種々変形が可能である。
【産業上の利用可能性】
【００４８】
本発明の活用例として、建築物などに配置されるモザイクを制作する場合に、部分モザイクを制作する段階で部分モザイク間の目地を考慮する必要がないため、タイルに代表される建築部材の配置作業に熟練を要求されることがなくなり、例えば若年者、高齢者や知的障害者などによる部分モザイクの制作作業が挙げられる。
【図面の簡単な説明】
【００４９】
【図１】本発明の実施形態の斜視図。
【図２】同実施形態における原画の分割状態を要部を拡大して示す構成説明図。
【図３】同実施形態の枠体と枠支持体とを個別に示す平面図。
【図４】同実施形態のタイルを配置した状態での断面図。
【図５】同実施形態の枠体の種類を示す平面図。
【図６】同実施形態のタイルの配置状態を示す平面図。
【図７】本発明の他の実施形態における配置作業用装置の斜視図。
【図８】同他の実施形態のコンピュータシステムの構成を示すブロック図。
【図９】同他の実施形態の判定用画像データの構成を示す模式図。
【符号の説明】
【００５０】
１…配置作業用器具
２…タイル
３…枠体
３ａ…配置領域
３ｂ…内側輪郭
３ｄ…凸部
４…枠支持体
【図１】
2005144820.tif 000003
【図２】
2005144820.tif 000004
【図３】
2005144820.tif 000005
【図４】
2005144820.tif 000006
【図５】
2005144820.tif 000007
【図６】
2005144820.tif 000008
【図７】
2005144820.tif 000009
【図８】
2005144820.tif 000010
【図９】
2005144820.tif 000011